(57)【要約】【課題】    採光制御や遮視が可能で、かつ低コスト化および施工性の向上を図ることができる出窓を提供すること。【解決手段】外壁２から所定角度で突出して互いの先端縁同士が接続された第１および第２の側面部１１，１２を備えた出窓において、第２側面部１２を主方立材１５から無開口に構成し、第１側面部１１のみから採光可能に構成したので、これらの第１および第２の側面部１１，１２の向きや外壁面に対する角度を適宜設定することで、不要な日射を遮断して採光を制御したり、屋外からの視線を遮断したりすることができる。さらに、主方立材１５で第２側面部１１を構成したので、第１および第２の側面部１１，１２の両方に障子やガラスパネル等の開口を形成する場合と比較して、出窓の部品点数を削減することができ、組み立てや取り付け作業の施工性を向上させることができる。【選択図】  図４
2006348655.tif 000002
【特許請求の範囲】
【請求項１】
建物の外壁面に対して各々所定角度で屋外側に突出し互いの先端縁同士が接続された第１および第２の側面部を備えた出窓であって、
前記第２側面部は、断面長尺状に形成されて基端縁側が前記外壁に支持された主方立材から無開口に構成され、
前記第１側面部は、前記主方立材の先端縁側に支持された採光可能な面状体を有して構成されている出窓。
【請求項２】
前記先端縁同士が接続された一組の第１および第２の側面部を有して構成された三角状部を少なくとも二組備えるとともに、これらの三角状部同士が互いに左右に隣接して設けられ、かつ隣接した一方の三角状部における前記第１側面部と他方の三角状部における前記第２側面部とが連結されており、
前記他方の三角状部における前記主方立材の基端部には、前記一方の三角状部における前記面状体を支持する面状体支持部が形成されている請求項１に記載の出窓。
【請求項３】
前記先端縁同士が接続された一組の第１および第２の側面部を有して構成された三角状部を少なくとも二組備えるとともに、これらの三角状部同士が互いに左右に隣接して設けられ、かつ隣接した一方の三角状部における前記第１側面部と他方の三角状部における前記第２側面部とが連結されており、
前記一方および他方の三角状部における前記第１側面部の基端部には、前記面状体を支持する副方立材が設けられ、前記一方の三角状部における副方立材と、前記他方の三角状部における前記主方立材の基端部とが連結されている請求項１に記載の出窓。
【請求項４】
前記先端縁同士が接続された一組の第１および第２の側面部を有して構成された三角状部を少なくとも二組備えるとともに、これらの三角状部同士が互いに左右に隣接して設けられ、かつ隣接した一方の三角状部における前記第１側面部と他方の三角状部における前記第２側面部とが連結されており、
前記一方および他方の三角状部における前記第１側面部の基端部には、前記面状体を支持する副方立材が設けられ、前記一方の三角状部における副方立材と、前記他方の三角状部における前記主方立材の基端部との間には、これらの主方立材と副方立材とを連結する連結方立材が設けられている請求項１に記載の出窓。
【請求項５】
前記一方の三角状部における主方立材と、前記他方の三角状部における主方立材とが、略同一断面を有して形成されている請求項４に記載の出窓。
【請求項６】
前記一方の三角状部における副方立材と、前記他方の三角状部における副方立材とが、略同一断面を有して形成されている請求項３から請求項５のいずれかに記載の出窓。
【請求項７】
前記一方および他方の三角状部における副方立材の屋内側には、それぞれ互いに略同一断面を有した樹脂製のカバー材が設けられている請求項３から請求項６のいずれかに記載の出窓。
【請求項８】
前記一方および他方の三角状部における主方立材の屋内側には、それぞれ互いに略同一断面を有した樹脂製のカバー材が設けられている請求項２から請求項７のいずれかに記載の出窓。
【発明の詳細な説明】
【技術分野】
【０００１】
本発明は、出窓に関し、詳しくは、建物の外壁面から屋外側に突出した平面略三角形状の出窓に関する。
【背景技術】
【０００２】
建物の外壁に設けられる出窓として、平面略不等辺三角形状に形成されて互いに長さの異なる２つの側面部を有した出窓が知られている（例えば、特許文献１参照）。
特許文献１に記載された出窓は、当該出窓の基端位置に設けられた一対の基端側方立と、出窓の先端位置に設けられた先端側方立と、これらの基端側方立と先端側方立との上下端を連結する横材と、これらの各部材で囲まれた内部に支持されたガラスパネルあるいはガラスパネルを備えた障子とを備えて構成されている。つまり、このような従来の出窓では、２つ（第１および第２）の側面部がそれぞれ開口部とされており、これら２面の開口部を通して外光を屋内に取り入れたり、障子を開放して通風、換気を実行したり、屋外の景観を視認したりすることができるようになっている。
【０００３】
【特許文献１】特開平７−３３１９６１号公報
【発明の開示】
【発明が解決しようとする課題】
【０００４】
しかしながら、前記した従来の出窓では、２つの側面部がともに開口部とされているために、取り入れる外光をコントロールすること（採光制御）や、屋外からの視線を遮ること（遮視）が困難になってしまうという問題がある。さらに、従来の出窓では、２面の開口部を構成するために多くの部材や部品が必要になり、製造コストや施工手間が増大してしまうという問題もある。
【０００５】
本発明の目的は、採光制御や遮視が可能で、かつ低コスト化および施工性の向上を図ることができる出窓を提供することにある。
【課題を解決するための手段】
【０００６】
本発明の出窓は、建物の外壁面に対して各々所定角度で屋外側に突出し互いの先端縁同士が接続された第１および第２の側面部を備えた出窓であって、前記第２側面部は、断面長尺状に形成されて基端縁側が前記外壁に支持された主方立材から無開口に構成され、前記第１側面部は、前記主方立材の先端縁側に支持された採光可能な面状体を有して構成されていることを特徴とする。
【０００７】
ここで、第１および第２の側面部が互いに異なる長さ寸法を有する、すなわち平面不等辺三角形状に出窓が形成されていてもよく、この場合には、第１側面部が第２側面部よりも長く形成されていてもよく、逆に第２側面部が第１側面部よりも長く形成されていてもよい。一方、第１および第２の側面部が略同一の長さ寸法を有する、すなわち平面等辺三角形状に出窓が形成されていてもよい。
【０００８】
以上の本発明によれば、第２側面部を断面長尺状の主方立材から無開口に構成したことで、この第２側面部の配置（出窓の左右いずれに向けて設置するか）や外壁面に対する角度等を適宜設定することで、採光制御や遮視が可能となる。すなわち、例えば、西日が当たる側や、人通りの多い側、隣接した建物に面した側などに向けて、無開口の第２側面部を配置すれば、不要な日射を遮断して採光を制御したり、屋外からの視線を遮断（遮視）したりすることができる。そして、第１側面部の面状体（例えば、ガラスパネルや障子）を通して採光することができ、また面状体を開放可能に構成すれば通風や換気も可能になるため、屋内空間の快適な居住性が確保できる。
さらに、断面長尺状で基端縁側が外壁に支持された主方立材で第２側面部を構成したので、従来の出窓のように先端側方立や障子等の多数の部材で第２側面部を構成する場合と比較して、部品点数を削減することができるとともに、組み立てや取り付け作業の作業手間を軽減して施工性を向上させることができる。
【０００９】
そして、本発明の出窓では、前記先端縁同士が接続された一組の第１および第２の側面部を有して構成された三角状部を少なくとも二組備えるとともに、これらの三角状部同士が互いに左右に隣接して設けられ、かつ隣接した一方の三角状部における前記第１側面部と他方の三角状部における前記第２側面部とが連結されており、前記他方の三角状部における前記主方立材の基端部には、前記一方の三角状部における前記面状体を支持する面状体支持部が形成されていることが好ましい。
【００１０】
また、本発明の出窓では、前記先端縁同士が接続された一組の第１および第２の側面部を有して構成された三角状部を少なくとも二組備えるとともに、これらの三角状部同士が互いに左右に隣接して設けられ、かつ隣接した一方の三角状部における前記第１側面部と他方の三角状部における前記第２側面部とが連結されており、前記一方および他方の三角状部における前記第１側面部の基端部には、前記面状体を支持する副方立材が設けられ、前記一方の三角状部における副方立材と、前記他方の三角状部における前記主方立材の基端部とが連結されていてもよい。
【００１１】
さらに、本発明の出窓では、前記先端縁同士が接続された一組の第１および第２の側面部を有して構成された三角状部を少なくとも二組備えるとともに、これらの三角状部同士が互いに左右に隣接して設けられ、かつ隣接した一方の三角状部における前記第１側面部と他方の三角状部における前記第２側面部とが連結されており、
前記一方および他方の三角状部における前記第１側面部の基端部には、前記面状体を支持する副方立材が設けられ、前記一方の三角状部における副方立材と、前記他方の三角状部における前記主方立材の基端部との間には、これらの主方立材と副方立材とを連結する連結方立材が設けられていてもよい。
【００１２】
以上のような各構成によれば、第１および第２の側面部を有した三角状部が横方向に複数連結された連窓を構成することができ、この連窓において、前述した効果と同様の効果を得ることができる。
【００１３】
さらに、本発明の出窓では、前記一方の三角状部における主方立材と、前記他方の三角状部における主方立材とが、略同一断面を有して形成されていることが好ましい。
また、本発明の出窓では、前記一方の三角状部における副方立材と、前記他方の三角状部における副方立材とが、略同一断面を有して形成されていることが好ましい。
このような構成によれば、一方および他方の三角状部における主方立材や副方立材を、それぞれ共通部材から構成することができ、部品点数を削減してコストダウンを一層促進させることができる。
【００１４】
さらに、本発明の出窓では、前記一方および他方の三角状部における副方立材の屋内側には、それぞれ互いに略同一断面を有した樹脂製のカバー材が設けられていることが好ましい。
また、本発明の出窓では、前記一方および他方の三角状部における主方立材の屋内側には、それぞれ互いに略同一断面を有した樹脂製のカバー材が設けられていることが好ましい。
このような構成によれば、主方立材の屋内側や副方立材の屋内側に樹脂製のカバー材を設けたことで、主方立材や副方立材の屋内面の結露を抑制することができる。さらに、カバー材を共通部材から構成することで、部品点数を削減してより一層のコストダウンを図ることができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１は、本発明の第１実施形態に係る出窓１を示す横断面図である。図２は、出窓１を示す縦断面図である。
図１および図２において、出窓１は、戸建て住宅や集合住宅、事務所ビル等の建物の外壁２における開口部３の屋外側に設けられるものであって、外壁２の躯体である壁パネル４に固定された出窓本体（三角状部）１０と、開口部３の上および左右三方に設けられた額縁５および開口部３の下縁に設けられた膳板６とを有して構成されている。そして、出窓１の出窓本体１０は、外壁面に対して各々所定角度で屋外側に突出して互いの先端縁同士が略直交して接続された第１および第２の側面部１１，１２と、外壁２から屋外側に庇状に突出した屋根部１３および底板部１４とを備えて構成されている。つまり、図１に示すように、第１側面部１１は、外壁面に沿った方向（矢指Ｘ方向）に対して角度θだけ傾斜した方向（矢指Ａ方向）に沿って設けられ、第２側面部１２は、外壁面に直交する方向（矢指Ｙ方向）に対して角度θだけ傾斜した方向（矢指Ｂ方向）に沿って設けられている。これらの第１および第２の側面部１１，１２、屋根部１３、および底板部１４は、予め組み立てられてから外壁２に取り付けられる、すなわち出窓本体１０は、ユニット化された状態で外壁２に取り付け施工されるようになっている。
【００１７】
出窓本体１０の第２側面部１２は、アルミ形材製で断面長尺状に形成された主方立材１５から構成されている。この主方立材１５は、基端縁側が外壁２の開口部３における一方の側端縁位置で壁パネル４にビス止め固定されている。また、出窓本体１０の第１側面部１１は、主方立材１５の先端部分と、この主方立材１５に対向して設けられた副方立材１６と、この副方立材１６と主方立材１５との間に架設されたアルミ形材製の上部横材１７および下部横材１８と、これらの主方立材１５、副方立材１６および上下の横材１７，１８で囲まれた内部に支持された障子１９とから構成されている。副方立材１６は、アルミ形材製であって開口部３における他方の側端縁位置で壁パネル４にビス止め固定されている。これらの主方立材１５および副方立材１６の上端および上部横材１７に屋根部１３が固定され、主方立材１５および副方立材１６の下端および下部横材１８に底板部１４が固定されている。
【００１８】
障子１９は、上下左右の框材１９１，１９２，１９３，１９４と、これらの框材１９１〜１９４で囲まれた内部に嵌め込まれた面材としてのガラスパネル（複層ガラス）１９５とを備えて構成されている。そして、障子１９における一方（図１の左側）の縦框１９３は、上下の横材１７，１８にヒンジ（不図示）を介して回動自在に支持されており、障子１９は、一方の縦框１９３側を中心として他方（図１の右側）の縦框１９４側が屋外に向かって開閉可能に構成されている。つまり、障子１９を備えた第１側面部１１では、ガラスパネル１９５を通して外光を屋内空間に取り入れたり、屋外の景色を視認したりすることができるようになっているとともに、障子１９を開放することで外気を屋内に取り入れたり内気を屋外に排出したりする通風や換気ができるようになっている。
【００１９】
主方立材１５は、図１に示すように、外壁面に直交する方向に対して角度θだけ傾斜した方向（矢指Ｂ方向）に延びる中空状の本体部１５１と、この本体部１５１の基端部から外壁２に沿って延びる取付片部１５２と、本体部１５１の先端部から副方立材１６に向かって延びる２つの突出片部１５３，１５４とを有して形成されている。そして、主方立材１５は、取付片部１５２を壁パネル４にビス止めすることで、外壁２に固定されるようになっている。一方、主方立材１５の屋内側側面には、当該屋内側側面を覆う樹脂製の第１カバー材２１および第２カバー材２２が取り付けられている。第１カバー材２１は、主方立材１５の屋内側側面に沿って延び、屋内側端部が額縁５にビス止め固定され、屋外側端部が第２カバー材２２で係止されている。第２カバー材２２は、屋内側の突出片部１５３に係止されるとともに、主方立材１５の屋内側側面にビス止め固定されている。そして、第２カバー材２２の屋外側端部および主方立材１５の屋外側の突出片部１５４には、それぞれシール材が取り付けられており、これらのシール材と障子１９の一方の縦框１９３とが当接するようになっている。
【００２０】
副方立材１６は、外壁面に直交して延びる第１面部１６１と、この第１面部１６１に対して角度θだけ傾斜した方向（主方立材１５の本体部１５１の延出方向）に延びる第２面部１６２とを有して全体中空状に形成され、第１面部１６１の基端部から外壁２に沿って延びる取付片部１６３と、主方立材１５の２つの突出片部１５３，１５４と同様の突出片部（不図示）とを有して形成されている。そして、副方立材１６は、取付片部１６３を壁パネル４にビス止めすることで、外壁２に固定されるようになっている。一方、副方立材１６の屋内側には、樹脂製の第３カバー材２３および第４カバー材２４が取り付けられている。第３カバー材２３は、その屋内側端部が額縁５にビス止め固定され、屋外側端部が第４カバー材２４で係止されている。第４カバー材２４は、前記第２カバー材２２と略同一断面を有し、副方立材１６の屋内側の突出片部に係止されるとともに、副方立材１６の第２面部１６２にビス止め固定されている。そして、第４カバー材２４の屋外側端部および副方立材１６の屋外側の突出片部には、それぞれシール材が取り付けられており、これらのシール材と障子１９の他方の縦框１９４とが当接するようになっている。
【００２１】
また、図２に示すように、第１側面部１１の上下の横材１７，１８の屋内側には、それぞれ上下の横材１７，１８を覆う樹脂製の上部カバー材２５および下部カバー材２６が取り付けられている。上部カバー材２５は、上部横材１７に係止されるとともに、屋内側端部が額縁５にビス止め固定されている。下部カバー材２６は、下部横材１８に係止されるとともに、屋内側端部が膳板６にビス止め固定されている。そして、上部カバー材２５および下部カバー材２６の屋外側端部には、それぞれシール材が取り付けられており、これらのシール材と障子１９の上框１９１または下框１９２とが当接するようになっている。
以上のように、出窓１において、アルミ形材製の主方立材１５、副方立材１６、および上下の横材１７，１８の屋内側は、樹脂製のカバー材２１，２２，２３，２４，２５，２６で覆われており、これにより屋内側に結露水が露出することが防止できるようになっている。
【００２２】
なお、本実施形態における出窓本体１０は、第１および第２の側面部１１，１２、屋根部１３、および底板部１４がユニット化されたものに限らず、第１および第２の側面部１１，１２のみがユニット化された図３に示すような構成であってもよい。すなわち、図３において、出窓１は、壁パネル４に一体固定された躯体としての屋根部１３Ａおよび底板部１４Ａに、第１側面部１１の上下の横材１７，１８が固定されるとともに、第２側面部１２の主方立材１５の上下端部が固定されている。
また、本実施形態においては、壁パネル４を躯体とする木造の外壁２に出窓１を設けたが、鉄筋コンクリート製の外壁における開口部に本実施形態の出窓１を設けてもよく、またＡＬＣ（軽量気泡コンクリート）板やセメント成形板等から形成された外壁の開口部に出窓１を設けてもよい。
【００２３】
このような本実施形態によれば、以下のような効果がある。
（１）すなわち、第２側面部１２が主方立材１５から無開口に構成され、第１側面部１１のみから採光や通風、換気、景観の視認が実行可能に構成されているので、これらの第１および第２の側面部１１，１２の向きや外壁面に対する角度θ等を適宜設定することで、不要な日射を遮断して採光を制御（採光制御）したり、屋外からの視線を遮断（遮視）したりすることができる。そして、第１側面部１１における障子１９のガラスパネル１９５を通して採光することができ、また障子１９を開放すれば通風や換気も可能になるため、屋内空間の快適な居住性が確保できる。
【００２４】
（２）さらに、断面中空長尺状に形成されかつ基端縁側が外壁２の壁パネル４に固定された主方立材１５で第２側面部１２を構成したので、第１および第２の側面部１１，１２の両方に障子やガラスパネル等の開口を形成する場合と比較して、出窓１の部品点数を削減することができるとともに、組み立てや取り付け作業の作業手間を軽減して施工性を向上させることができる。
【００２５】
（３）また、主方立材１５の屋内側に設けられた第２カバー材２２と、副方立材１６の屋内側に設けられた第４カバー材２４とが、略同一断面の樹脂製部材から構成されているので、これらのカバー材２２，２４の部品を共通化でき、より一層部品点数の削減を図ることができる。
【００２６】
（４）さらに、出窓１における室外側の側面がアルミ製部材である主方立材１５や副方立材１６、上下の横材１７，１８で構成され、出窓１における室内側の側面が樹脂製部材である第１〜第４のカバー材２１，２２，２３，２４や上下のカバー材２５，２６で構成されていることで、出窓１の室内側と室外側とで相違した質感や色等を適宜に設定することができ、出窓１の設計の自由度を高めることができる。
【００２７】
〔第２実施形態〕
次に、本発明の第２実施形態に係る出窓１Ａについて、図４〜図６に基づいて説明する。
図４は、本実施形態の出窓１Ａを示す横断面図である。図５は、出窓１Ａの一部を拡大して示す横断面図である。図６は、出窓１Ａの一部を分解して示す横断面図である。
本実施形態の出窓１Ａは、前記第１実施形態の単窓の出窓１における出窓本体（三角状部）１０を左右に隣接させて連結した連窓の出窓である点が第１実施形態と相違し、その他の構成は、第１実施形態と略同様である。以下、相違点について詳しく説明する。
【００２８】
図４〜図６において、出窓１Ａは、一方（図の左側）の出窓本体１０Ａと、他方（図の右側）の出窓本体１０Ｂとを、開口部３の略中央で連結して構成されている。すなわち、一方の出窓本体１０Ａにおける第１側面部１１の基端縁側の副方立材１６Ａと、他方の出窓本体１０Ｂにおける第２側面部１２の主方立材１５Ａの基端縁側とが、アルミ形材製の連結方立材２０を介して連結されている。そして、この連結部の屋内側には、一方の出窓本体１０Ａにおける第３カバー材２３と、他方の出窓本体１０Ｂにおける第１カバー材２１とを連結する樹脂製の第５カバー材２７が設けられている。
【００２９】
ここで、主方立材１５Ａおよび副方立材１６Ａは、それぞれ前記第１実施形態の主方立材１５および副方立材１６と共通の部材であって、さらに、主方立材１５Ａは一方の出窓本体１０Ａにおける主方立材１５と共通で、副方立材１６Ａは他方の出窓本体１０Ｂにおける副方立材１６と共通であり、これらの主方立材１５および副方立材１６から取付片部１５２，１６３を切除して形成されたものである。また、第１〜第４のカバー材２１〜２４は、それぞれ第１実施形態と共通の部材である。
【００３０】
連結方立材２０は、図６に示すように、外壁面に直交する方向（矢指Ｙ方向）に延びて副方立材１６Ａの第１面部１６１に対向する第１面部２０１と、外壁面に直交する方向に対して角度θだけ傾斜した方向（矢指Ｂ方向）に延びて主方立材１５Ａの本体部１５１に対向する第２面部２０２と、これら第１および第２面部２０１，２０２の屋内側で外壁面に沿った方向（矢指Ｘ方向）に延びる連結片部２０３とを有して形成されている。そして、副方立材１６Ａを第１面部２０１の屋外側端部および連結片部２０３に係合するとともに、連結片部２０３を介してビス止めすることで、副方立材１６Ａと連結方立材２０とが固定されるようになっている。主方立材１５Ａを第２面部２０２の屋外側端部および連結片部２０３に係合するとともに、連結片部２０３を介してビス止めすることで、主方立材１５Ａと連結方立材２０とが固定されるようになっている。
【００３１】
このような本実施形態によれば、前述の(１)〜(４)の効果に加えて以下のような効果がある。
（５）すなわち、主方立材１５Ａおよび副方立材１６Ａが連結方立材２０で連結されているので、連窓の出窓１Ａにおいて主方立材１５Ａおよび副方立材１６Ａを、単窓の出窓１の主方立材１５および副方立材１６と共通化することができるとともに、主方立材１５Ａを一方の出窓本体１０Ａにおける主方立材１５と共通化し、副方立材１６Ａを他方の出窓本体１０Ｂにおける副方立材１６と共通化することができ、部品点数およびコストの増大を抑制しつつ多彩な製品バリエーションに対応させることができる。
【００３２】
（６）さらに、第５カバー材２７で第３カバー材２３と第１カバー材２１とが連結されているので、単窓の出窓１と連窓の出窓１Ａとの間、および一方および他方の出窓本体１０Ａ，１０Ｂ間において、第１〜第４のカバー材２１〜２４を共通化することができ、この点でも部品点数の増加を抑制してコスト低減を図ることができる。
【００３３】
〔第３実施形態〕
次に、本発明の第３実施形態に係る出窓１Ｂについて、図７〜図９に基づいて説明する。
図７は、本実施形態の出窓１Ｂを示す横断面図である。図８は、出窓１Ｂの一部を拡大して示す横断面図である。図９は、出窓１Ｂの一部を分解して示す横断面図である。
本実施形態の出窓１Ｂは、前記第１実施形態の単窓の出窓１における出窓本体（三角状部）１０を左右に隣接させて連結した連窓の出窓である点が第１実施形態と相違し、この連結部分の構造が前記第２実施形態の連窓の出窓１Ａと相違し、その他の構成は、第１および第２実施形態と略同様である。以下、相違点について詳しく説明する。
【００３４】
図７〜図９において、出窓１Ｂは、一方（図の左側）の出窓本体１０Ａにおける第１側面部１１の基端縁側の副方立材１６Ａと、他方（図の右側）の出窓本体１０Ｂにおける第２側面部１２の主方立材１５Ｂの基端縁側とが直接連結されて構成されている。すなわち、他方の出窓本体１０Ｂにおける主方立材１５Ｂは、図９に示すように、その本体部１５１の屋内側端部において外壁面に直交する方向（矢指Ｙ方向）に延びて副方立材１６Ａの第１面部１６１に対向する第１連結面部１５５と、その屋内側端縁から外壁面に沿った方向（矢指Ｘ方向）に延びる第２連結面部１５６とを有して形成されている。そして、副方立材１６Ａを第１連結面部１５５の屋外側端部および第２連結面部１５６に係合するとともに、第２連結面部１５６を介してビス止めすることで、主方立材１５Ｂと副方立材１６Ａとが固定されるようになっている。
【００３５】
また、主方立材１５Ｂと副方立材１６Ａとの連結部の屋内側には、一方の出窓本体１０Ａにおける第３カバー材２３と、他方の出窓本体１０Ｂにおける第１カバー材２１とを連結する樹脂製の第６カバー材２８が設けられている。この第６カバー材２８は、前記第２実施形態の第５カバー材２７と略同様の断面形状を有しているものの、第５カバー材２７よりも外壁面に沿った方向の長さ寸法が小さく形成されている。
そして、本実施形態においては、副方立材１６Ａは、前記第１および第２実施形態の副方立材１６、および他方の出窓本体１０Ｂにおける副方立材１６と共通の部材であり、この副方立材１６から取付片部１６３を切除して形成されたものである。また、第１〜第４のカバー材２１〜２４は、それぞれ第１および第２実施形態と共通の部材である。
【００３６】
このような本実施形態によれば、前述の(１)〜(４)および(６)の効果に加えて以下のような効果がある。
（７）すなわち、副方立材１６Ａを単窓の出窓１の副方立材１６および他方の出窓本体１０Ｂにおける副方立材１６と共通化することができ、部品点数およびコストの増大を抑制しつつ多彩な製品バリエーションに対応させることができる。
【００３７】
（８）さらに、一方の出窓本体１０Ａにおける副方立材１６Ａと、他方の出窓本体１０Ｂにおける主方立材１５Ｂとが直接連結されているので、この連結部分の外壁面に沿った方向の長さ寸法を小さくすることができ、開口部３の幅寸法に対する第１側面部１１の開口比率を大きくすることができる。
【００３８】
〔第４実施形態〕
次に、本発明の第４実施形態に係る出窓１Ｃについて、図１０、図１１に基づいて説明する。
図１０は、本実施形態の出窓１Ｃを示す横断面図である。図１１は、出窓１Ｃの一部を拡大して示す横断面図である。
本実施形態の出窓１Ｃは、前記第１実施形態の単窓の出窓１における出窓本体（三角状部）１０を左右に隣接させて連結した連窓の出窓である点が第１実施形態と相違し、この連結部分の構造が前記第２および第３実施形態の連窓の出窓１Ａ，１Ｂと相違し、その他の構成は、第１〜第３実施形態と略同様である。以下、相違点について詳しく説明する。
【００３９】
図１０および図１１において、出窓１Ｃは、一方（図の左側）の出窓本体１０Ａにおける第１側面部１１の基端縁部分が、他方（図の右側）の出窓本体１０Ｂにおける第２側面部１２の主方立材１５Ｃによって構成されている。すなわち、他方の出窓本体１０Ｂにおける主方立材１５Ｃは、図１１に示すように、その本体部１５１の屋内側端部において一方の出窓本体１０Ａ側に突出するとともに、外壁面に直交する方向（矢指Ｙ方向）に対して角度θだけ傾斜した方向（矢指Ｂ方向）に延びる障子支持面部（面状体支持部）１５７を有して形成されている。そして、障子支持面部１５７には、前記２つの突出片部１５３，１５４と同様の突出片部１５８，１５９が形成されている。突出片部１５８には、第４カバー材２４が係止され、この第４カバー材２４に取り付けられたシール材と、突出片部１５９に取り付けられたシール材とが、障子１９に当接するようになっている。
また、主方立材１５Ｃの屋内側には、前記第３実施形態と同様の第６カバー材２８が設けられている。
【００４０】
このような本実施形態によれば、前述の(１)〜(４)および(６)の効果に加えて以下のような効果がある。
（９）すなわち、他方の出窓本体１０Ｂにおける主方立材１５Ｃによって一方の出窓本体１０Ａにおける第１側面部１１の基端縁部分が構成されているので、前記第２および第３実施形態における副方立材１６Ａを省略することができ、部品点数を削減することができる。
【００４１】
（10）さらに、主方立材１５Ｃの屋内側端部に障子支持面部１５７が形成されているので、一方の出窓本体１０Ａの第１側面部１１と他方の出窓本体１０Ｂの第２側面部１２との連結部分の外壁面に沿った方向の長さ寸法を小さくすることができ、開口部３の幅寸法に対する第１側面部１１の開口比率を大きくすることができる。
【００４２】
なお、本発明は、前記各実施形態に限定されるものではなく、本発明の目的を達成できる他の構成等を含み、以下に示すような変形等も本発明に含まれる。
例えば、前記各実施形態においては、第１側面部１１を構成する障子１９を開閉可能に構成したが、これに限らず、障子１９を開閉不能な固定障子として構成してもよい。また、障子１９の開閉形式は、開き形式に限らず、左右または上下スライド形式や、縦または横辷出し形式、突出し形式、内倒し形式などでもよい。さらに、障子１９に限らず、主方立材、副方立材および上下の横材に嵌め殺し形式に支持されたガラスパネルで開口が形成されていてもよい。
【００４３】
また、前記第１実施形態では単窓の出窓１について説明し、第２〜第４実施形態では２つの出窓本体（三角状部）１０が隣接して連結された連窓の出窓１Ａ〜１Ｃについて説明したが、本発明の出窓は、出窓本体（三角状部）１０が３つ以上連結された連窓であってもよい。
また、前記各実施形態では、第１側面部１１の長さ寸法が第２側面部１２の長さ寸法よりも長く設定されていたが、これに限らず、第１側面部１１が第２側面部１２よりも短く形成されてもよく、また第１側面部１１と第２側面部１２とが同一の長さ寸法に形成されていてもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の第１実施形態に係る出窓を示す横断面図である。
【図２】前記出窓を示す縦断面図である。
【図３】前記実施形態における出窓の変形例を示す縦断面図である。
【図４】本発明の第２実施形態に係る出窓を示す横断面図である。
【図５】前記出窓の一部を拡大して示す横断面図である。
【図６】前記出窓の一部を分解して示す横断面図である。
【図７】本発明の第３実施形態に係る出窓を示す横断面図である。
【図８】前記出窓の一部を拡大して示す横断面図である。
【図９】前記出窓の一部を分解して示す横断面図である。
【図１０】本発明の第４実施形態に係る出窓を示す横断面図である。
【図１１】前記出窓の一部を拡大して示す横断面図である。
【符号の説明】
【００４６】
１０，１０Ａ，１０Ｂ…三角状部である出窓本体、１１…第１側面部、１２…第２側面部、１５，１５Ａ，１５Ｂ，１５Ｃ…主方立材、１６，１６Ａ…副方立材、１９…面状体である障子、２０…連結方立材、２１〜２４…カバー材、１５７…面状体支持部である障子支持面部。
【図１】
2006348655.tif 000003
【図２】
2006348655.tif 000004
【図３】
2006348655.tif 000005
【図４】
2006348655.tif 000006
【図５】
2006348655.tif 000007
【図６】
2006348655.tif 000008
【図７】
2006348655.tif 000009
【図８】
2006348655.tif 000010
【図９】
2006348655.tif 000011
【図１０】
2006348655.tif 000012
【図１１】
2006348655.tif 000013